(57)【要約】【課題】本錠が破壊されたような場合であっても、シャッターカーテンの上動を規制する。【解決手段】防犯装置を本錠装置とサブロック装置から構成する。サブロック装置は、ガイドレール枠１に設けた係止片１７（１９）と、シャッターカーテン下端の座板４の室内側部位において、該枠に近接させて設けたブロック体１３とからなる。係止片１７は、シャッターカーテン３の上下動を妨げない退避姿勢と、ブロック体１３の係止受部１４の直上に位置する突出姿勢との間で変姿可能であり、該突出姿勢において、係止片１７（１９）と係止受部１４とが係止することで、シャッターカーテン３の上動を規制する。【選択図】図２
2005188124.tif 000002
【特許請求の範囲】
【請求項１】
シャッターカーテンの両端部が建物開口部の両側部に立設した枠体の溝部に案内されながら上下動することで該開口部を開閉するシャッターの防犯装置において、該防犯装置は本錠装置とサブロック装置を有し、該サブロック装置は、該枠体に設けた係止片と、シャッターカーテン下端の座板の室内側部位において、該枠体に近接させて設けたブロック体とからなり、該ブロック体には該係止片が係止する係止受部が形成されており、該係止片は、シャッターカーテンの上下動を妨げない退避姿勢と、該ブロック体の係止受部の直上に位置する突出姿勢との間で変姿可能であり、該突出姿勢において、該係止片と係止受部とが係止することで、シャッターカーテンの上動を規制するように構成されていることを特徴とするシャッターの防犯装置。
【請求項２】
請求項１において、前記ブロック体は、開口部開放時に、まぐさ部に当接するストッパであることを特徴とするシャッターの防犯装置。
【請求項３】
請求項１，２いずれかにおいて、前記係止片は突出姿勢において鉛直方向に延出する係止ピンであり、前記係止受部は鉛直方向のピン孔であり、シャッターカーテンの上動により該係止ピンが該ピン孔に係入するように構成したことを特徴とするシャッターの防犯装置。
【請求項４】
請求項１，２いずれかにおいて、前記係止片は突出姿勢において傾斜方向に延出する係止片であり、前記係止受部はブロック体の上面に形成された溝であり、シャッターカーテンの上動により該係止片の下端部位が該溝に係止するように構成したことを特徴とするシャッターの防犯装置。
【発明の詳細な説明】
【技術分野】
【０００１】
本発明は、シャッターの防犯構造に係り、詳しくは、開口部全閉時において、シャッターカーテンの上動を防止するシャッターの防犯構造に関するものである。
【背景技術】
【０００２】
建物開口部に設置したシャッター装置をこじ開けて建物内への侵入を試みようとする犯罪が起きている。通常、シャッター装置には施錠装置を設けることで、シャッターの開放を防止しているが、最近では手口も悪質となっており、錠を破壊して建物内へ侵入するケースも起きている。
【発明の開示】
【発明が解決しようとする課題】
【０００３】
本発明は、本錠が破壊されたような場合であっても、シャッターカーテンの上動を規制することができるシャッターの防犯構造を提供することを目的とするものである。
【課題を解決するための手段】
【０００４】
かかる課題を達成するために本発明が採用した技術手段は、シャッターカーテンの両端部が建物開口部の両側部に立設した枠体の溝部に案内されながら上下動することで該開口部を開閉するシャッターの防犯装置において、該防犯装置を本錠装置とサブロック装置とから構成するものである。サブロック装置は、該枠体に設けた係止片と、シャッターカーテン下端の座板の室内側部位において、該枠体に近接させて設けたブロック体とからなる。ブロック体には該係止片が係止する係止受部が形成されている。係止片は、シャッターカーテンの上下動を妨げない退避姿勢と、該ブロック体の係止受部の直上に位置する突出姿勢との間で変姿可能であり、該突出姿勢において、該係止片と係止受部とが係止することで、シャッターカーテンの上動を規制するように構成した。
【０００５】
サブロック装置は、シャッターカーテンの幅方向の少なくとも一方に設ければよいが、防犯性能の面からは、両端に設けることが望ましい。また、本錠装置は、一つの態様では、座板と開口部下面とを固定する施錠装置であるが、他の構成の施錠装置であってもよい。好ましくは、ブロック体は、開口部開放時に、まぐさ部に当接するストッパである。
【０００６】
一つの好ましい態様では、前記係止片は突出姿勢において鉛直方向に延出する係止ピンであり、前記係止受部は鉛直方向のピン孔であり、シャッターカーテンの上動により該係止ピンが該ピン孔に係入するように構成される。ブロック体の上面が係止ピンの基端部に当接すること、あるいは、係止ピンの先端がピン孔の底に当接する（ピン孔が浅い場合）こと等で、シャッターカーテンの上動が規制される。さらに、係止ピンがピン孔内に入り込んだ状態においては、シャッターカーテンの上動のみならず、シャッターカーテン（座板）の前後方向の移動を規制することができ、座板のこじ開けに有効に対抗することができる。
【０００７】
他の好ましい態様では、前記係止片は突出姿勢において傾斜方向に延出する係止片であり、前記係止受部はブロック体の上面に形成された溝であり、シャッターカーテンの上動により該係止片が該溝に係止するように構成される。係止片の下端部位がブロック体に当接することで、シャッターカーテンの上動が規制される。さらに、係止片が溝内に係止した状態においては、シャッターカーテンの上動のみならず、シャッターカーテン（座板）の前後方向の移動を規制することができ、座板のこじ開けに有効に対抗することができる。
【発明の効果】
【０００８】
本発明によれば、例えば手動式の場合、本錠が破壊され、シャッターカーテンが持ち上げられた時には、シャッターカーテンの上昇に伴って、係止片が係止受部に当接係止し、それ以上のシャッターカーテンの上昇が防止される。さらに、係止受部が係止孔や係止溝の場合には、係止片はシャッターカーテンの前後方向の移動を規制するようにして係止受部に係止されるため、バールによってガイドレールから座板をこじ開けようとしても、係止片と係合受部の係合によって、座板が簡単にこじ開けられてしまうようなことがない。さらに、サブロック装置を構成するブロック体として簡単な加工を施すだけで従来のストッパを用いることができるので、より少ない部品点数でサブロック装置を構成することができる。また、サブロック装置の後付けも可能である。
【発明を実施するための最良の形態】
【０００９】
図１は、開口部全閉時における、シャッター装置の概略正面図である。シャッター装置は、建物開口部の左右端部に立設した左右の枠体、すなわち、ガイドレール１と、建物開口部の上方に設けたシャッターケース２と、建物開口部を開閉するシャッターカーテン３とシャッターカーテン３の下端に設けた座板４を有する。シャッターカーテン３は複数枚のスラット３０を上下に連設して構成されており、その上端はシャッターケース２内に水平状に設けた図示しない巻取シャフトに連結されており、建物開口部開放時には、シャッターカーテン３は該巻取シャフトに巻装されている。建物開口部閉鎖時には、シャッターカーテン３は、該巻取シャフトから繰り出され、スラット３０の両端部が左右のガイドレール１に案内されながら下降して行き、シャッターカーテン３の最下端に設けた座板４が床に着床することで建物開口部を全閉する。
【００１０】
図２は、開口部全閉時におけるシャッター装置の下端部位を示す図であって、（ａ）は横断面図、（ｂ）は室内側の部分正面図で、（ｃ）は縦断面図である。本発明に係る防犯構造は、本錠装置とサブロック装置から構成されており、図３は、サブロック施錠状態を示す図であって、（ａ）は室内側の部分正面図で、（ｂ）は縦断面図である。
【００１１】
以下、本発明の構成について詳細に説明する。ガイドレール１は、対向状の室外側見付片５と室内側見付片６と、両見付片５，６を連結する底片７とから断面視略コ状の溝部を有しており、溝部にスラット３０の長さ方向端部を受け入れることでシャッターカーテン３を上下方向に案内するようになっている。座板４は建物開口部の幅方向に延出する長手部材であって、座板４の室外側の面部には下方に延出する延出片４０が形成されており、建物開口部全閉時には、建物開口部下面に設けた水切板８との間に合いじゃくり構造を形成して、座板４と水切板８との間の隙間をなるべく無くすようにしている。
【００１２】
座板４の室内側には、本錠装置を構成する鎌錠タイプの施錠装置が設けてあり、建物開口部全閉時に、座板４側に設けた回動係止フック９が、水切板８側に設けた錠受１０に係止することで、シャッターカーテン３の上動を防止する。図示の鎌錠タイプの施錠装置は、シャッターカーテン３の下降時に回動係止フック９が錠受１０に当りながら回動することで自動的に施錠されるように構成されている。座板４の室内側には回動自在の解錠レバー１１が設けてある。解錠レバー１１は連結片１２を介して回動係止フック９と連繋されており、解錠レバー１１の回動により解錠するようになっている。
【００１３】
座板４の長さ方向両端部位には、座板４の室内側に位置して、ブロック体１３が設けてあり、ブロック体１３は、シャッターカーテン３の上昇時に、それが開口部上方部位のまぐさ部に当接することでシャッターカーテン３の巻き込みを防止するストッパである。ブロック体１３は一つの好ましい態様では合成樹脂から形成されている。座板４に対するブロック体１３の装着手段は限定されないが、図示のものでは、ブロック体１３と座板４との互いにスライド装着可能な形状に構成し、ブロック体１３を横方向からスライドさせて座板４に装着すると共に、ガイドレール１に近接した位置において、螺子によってブロック体１３を座板４に固着している。
【００１４】
ガイドレール１の底片７は室内側に延出する延出片７０を有しており、ガイドレール１の室内側見付片６と延出片７０とで形成される空間にサブロック１５が設けてある。ブロック体１３の上面にはサブロック１５が係止する係止受部（図示のものでは、後述するピン１９を受け入れるピン孔１４）が形成されており、サブロック１５とブロック体１３とでサブロック装置が構成される。サブロック１５は、ガイドレール１の下端から所定寸法上方の位置に設けてあり、シャッターカーテン３が少し持ち上げられた時に、サブロック装置が施錠状態となるように構成されている。
【００１５】
サブロック１５は、建物開口部両側部の枠体、すなわちガイドレール１の延出片７０に螺子を介して装着された固定片１６と、固定片１６に対して回動可能に連結されている回動係止片１７とからなる。回動係止片１７は、基部１８と基部１８の一端に突設された係止ピン１９とから略Ｌ字状に形成されており、基部１８の他端が固定片１６に対して回動可能に連結されている。
【００１６】
固定片１６は対向状の側部１６０と底部１６１とから断面視略コ字状あるいはＵ形状を有している。回動係止片１７の基部１８は、対向状の側部１８０と底部１８１とから断面視略コ字状あるいはＵ形状を有している。基部１８の基端側は固定片１６内に受け入れられていると共に、対向状の側部１６０，１８０間に設けた回動ピン２０を介して固定片１６に対して回転自在に装着されている。
【００１７】
図２（ｂ）において、係止ピン（実線）１９が下方に延出している状態は、係止片１７がガイドレール１側から開口部側へ突出した突出姿勢であり、サブロック施錠待機状態を示している。図２（ｂ）において、係止ピン（二点鎖線）１９が上方に延出している状態は、係止片１７が開口部側からガイドレール１側に退避した退避姿勢であり、サブロック解錠状態を示している。回動係止片１７の突出姿勢、すなわち、施錠待機状態及び施錠状態において、基部１８の底部１８１は固定片１６の底部１６１の上に当接支持されており、基部１８（回動係止片１７）の下方への回動が規制されている。この状態で、ピン１９は下方に向って鉛直状に延出している。この状態から回動係止片１７を上方に向って回動させると、９０度回転した時に、基部１８の側部１８０の上縁が固定片１６の底部１６１に当接することになる。この状態で、ピン１９は上方に向って鉛直状に延出しており、回動係止片１７は退避姿勢にある。回動係止片１７の退避姿勢においてサブロックは解錠状態にある。回動係止片１７は突出姿勢と退避姿勢との間で回動自在に構成されている。
【００１８】
上述のように、回動係止片１７は、シャッターカーテン３の上下動を妨げない退避姿勢と、ブロック体１３の係止受部の直上に位置する突出姿勢との間で変姿可能である。ブロック体１３の上面には、係止ピン１９を受け入れるピン孔１４が鉛直方向に形成されている。回動係止片１７の突出姿勢（施錠待機状態）において、係止ピン１９とブロック体１３のピン孔１４とは同一の鉛直軸線上にある。図３はサブロック施錠状態を示している。図２の施錠待機状態から、シャッターカーテン３が上昇すると、互いに同一軸線上にあるピン孔１４に係止ピン１９が入り込むようになっている。
【００１９】
建物開口部の全開時、及び、通常のシャッターカーテン３の上下動の操作時には、回動係止片１７は、退避姿勢にあり、回動係止片１７がシャッターカーテン３の上下動の妨げになることはない。シャッターカーテン３を降下させた建物開口部の全閉時に、回動係止片１７を１８０度回動させて、突出姿勢とし、サブロック１５を施錠待機状態とする。
【００２０】
サブロック１５の施錠待機状態において、本錠９，１０が破壊されたような場合に、シャッターカーテン３を持ち上げると、施錠待機状態にある回動係止片１７の係止ピン１９がブロック体１３に形成されたピン孔１４に入り込むことになる。図示のものでは、ピン孔１４は係止ピン１９の全長を受け入れる深さを有しており、回動係止片１７の基部１８の底部１８０にブロック体１３の上面が当接することで、座板４の上昇が規制され、それ以上のシャッターカーテン３の上昇が妨げられるる。
【００２１】
しかも、サブロック１５の施錠状態では、係止ピン１９がピン孔１４に入り込んで係止した状態となるので、シャッターカーテン３の上動のみならず、シャッターカーテン３の前後方向の移動も規制される。この状態で、バールによりガイドレール１から座板４をこじ開けようとしても、係止ピン１９がピン孔１４に入り込んでいるので、座板をこじ開ける力に対抗することができ、容易にこじ開けることはできないようになっている。
【００２２】
図４、図５は本発明に係る第２実施例を示し、開口部全閉時におけるシャッター装置の下端部位を示す図である。図４はサブロック施錠状態を示す図であり、（ａ）は横断面図、（ｂ）は室内側の部分正面図で、（ｃ）は縦断面図である。図５は図４（ｂ）に対応する図であり、サブロック解錠状態を示す図である。第２実施例の防犯装置の構成は、サブロック機構、すなわち、係止片及びブロック体の構成を除き、実質的に前述の第１実施例と同じであり、同一部材には同一の符号が付してあり、サブロック機構の構成の説明を除き、第１実施例の記載はそのまま引用することが可能である。
【００２３】
第２実施例に係るガイドレール１は、対向状の室外側見付片５と室内側見付片６と、室内側見付片６の開口部側端部から室外側見付片５の開口部側端部に向って延出する見込片６０と、両見付片５，６の他端同士を連結する底片７とから形成されており、見込片６０の先端と室外側見付片６との間に溝部が形成されており、溝部にスラット３０の長さ方向端部を受け入れることで上下方向に案内するようになっている。
【００２４】
ガイドレール１の見込片６０には、サブロック１５０が設けてある。サブロック１５０は、傾動自在の係止片１７０を有しており、係止片１７０は、図５に示す退避姿勢と図４に示す突出姿勢との間で変姿自在である。ブロック体１３の上面には、開口部幅方向に延出する溝部１４０が形成されている。係止片１７０は、突出姿勢において、傾斜姿勢を取っており、傾斜状の係止片１７０の下端部位は水平状の面部であり、サブロック施錠時には、係止片１７０はブロック体１３の上面の溝部１４０に面当接している。
【００２５】
建物開口部の全開時、及び、通常のシャッターカーテン３の上下動の操作時には、傾動係止片１７０は、図５に示す退避姿勢にあり、係止片１７０がシャッターカーテン３の上下動の妨げになることはない。シャッターカーテン３を降下させた建物開口部の全閉時に、回動係止片１７０の上側を押し込むことで傾動させて突出姿勢とし、サブロック１５０を施錠状態あるいは施錠待機状態とする。
【００２６】
サブロック１５０の施錠状態あるいは施錠待機状態において、本錠９，１０が破壊されたような場合に、シャッターカーテン３を上昇させようとすると、突出姿勢にある傾動係止片１７０がブロック体１３の上面に形成された溝１４０に当接することになり、座板４の上昇が規制され、それ以上のシャッターカーテン３の上昇が妨げられるる。
【００２７】
しかも、サブロック１５０の施錠状態では、係止片１７０は凹状の溝１４０においてブロック体１３に当接しているので、シャッターカーテン３の上動のみならず、シャッターカーテン３の前後方向の移動も規制される。この状態で、バールによりガイドレール１から座板４をこじ開けようとしても、係止片１７９が溝１４０の縁に当接することで、座板をこじ開ける力に対抗することができ、容易にこじ開けることはできないようになっている。
【図面の簡単な説明】
【００２８】
【図１】シャッター装置の概略正面図である。
【図２】開口部全閉時におけるシャッター装置の下端部位を示す図であって、（ａ）は横断面図、（ｂ）は室内側の部分正面図で、（ｃ）は縦断面図である。
【図３】サブロック施錠状態を示す図であって、（ａ）は室内側の部分正面図で、（ｂ）は縦断面図である。
【図４】第２実施例におけるサブロック施錠状態を示す図であり、（ａ）は横断面図、（ｂ）は室内側の部分正面図で、（ｃ）は縦断面図である。
【図５】図４（ｂ）に対応する図であり、サブロック解錠状態を示す図である。
【符号の説明】
【００２９】
１  ガイドレール
３  シャッターカーテン
４  座板
９  回動係止フック
１０  錠受
１３  ブロック体
１４  ピン孔
１４０  溝
１５  サブロック
１５０  サブロック
１７  回動係止片
１７０  係止片
１９  係止ピン
【図１】
2005188124.tif 000003
【図２】
2005188124.tif 000004
【図３】
2005188124.tif 000005
【図４】
2005188124.tif 000006
【図５】
2005188124.tif 000007